(57)【要約】【課題】  従来のパタ−グリップはグリップエンドが内側に角度がつけられるのが当たり前とされていた。しかしその形状が原因で起こるパッティングの際の様々なミスを招いていたが、今まで誰も形状に疑問を抱かず技術の習練や工夫で補おうとしていた。【解決手段】  グリップエンドの角度を内側から外側にすることで左手首の角度が固定しやすく右手の感覚も活かせるため方向性と距離感を向上させることができる。左手を下にして握る逆手グリップのメリットと順手グリップの感覚を兼ねそろえたパッティングストロ−クができる。【選択図】  図１
2006223817.tif 000002
【特許請求の範囲】
【請求項１】
グリップエンドの角度を外側につけた形状を特徴とするパタ−用ゴルフクラブのグリップ
【請求項２】
請求項１のグリップエンドを設けたグリップの内側は丸みをつけ、外側は平面としたことを特徴とするパタ−用ゴルフクラブのグリップ。
【発明の詳細な説明】
【技術分野】
【０００１】  本発明はパタ−グリップのグリップエンドの角度を、従来とは逆に外側にすることによって、パッティングストロ−クをする際に、まっすぐ引いてまっすぐ出しやすくなり、方向性や距離感を向上させる事ができるパタ−用グリップである。
【背景技術】
【０００２】  従来のパタ−グリップのグリップエンドは内側に角度をつけていた。これはグリップエンドを握るときに、握り易いので、パタ−グリップのグリップエンドは必ず内側に角度をつけた形状が当たり前とされていた。しかし握るだけでなくストロ−クをしなければいけないので、その際に正しい肩の可動と手の動きが同調しなかったとき、パタ−ヘッドの動きによって起こる力に抵抗しようとする力がグリップエンドの手に掛り、ストロ−ク中の握る力の均一性を妨げることがあり、スム−ズなストロ−クを妨げ、距離感や方向性を狂わせることがあった。
【発明の開示】
【発明が解決しようとする課題】
【０００３】  従来のパタ−グリップのグリップエンドが内側に角度がつけられているために、パッティングストロ−ク中に起こる様々なミスの原因がその形状にあるということを今まで誰も気がつかず、パッティング技術の習練によってそのミスを克服しようとしていた。そこでグリップエンドの角度を内側から外側にしてみたところ、ストロ−ク中に起こる様々なミスの原因がその形状に由来していることが判明した。以下はそのミスの主なものである。【０００４】  テ−クバックがインサイド、アウトサイドに引かれる。これは肩の動きを意識しすぎるとヘッドがアウトサイドに引かれる。手動きが先行しすぎるとインサイドに引かれる。特に握りが強いとヘッドの重みを感じにくくなり、その傾向が強くなりその傾向が強くなる。これはアドレスでヘッドの重みを左手で支えているとき、グリップエンドの内側に角度がついているためである。【０００５】  テ−クバックの切返しからインパクトの間で左手に力が入る。パッティングストロ−クでは必ず切返しがあるわけだが、ゴルファ−は本能的に切返しからインパクトの間でストロ−クの軌道を修正しようとしてグリッププレッシャ−が変わる。特にショ−トパットにおいてその傾向が強く現れインサイドに引かれた場合はフェ−スが閉じて当たりやすく、アウトサイドに引かれた場合はフェ−スが開くときもあるし、閉じるときもある。パッティングイップス病と言われる症状に陥ったゴルファ−は、不安や緊張感からこのショ−トパットの際に起こる現象によって重症化していってしまうと思われる。【０００６】  インパクト直前に左手でひっぱりすぎ、左肘が曲がって左脇が開く。左肘が曲がって開くと、右肩が下がってフェ−スが開いてしまいやすい。【０００７】  ストロ−ク中に手首の角度が変わる原因として握りが強くて、ヘッドの重さを感じないままテ−クバックをすると、切返しのタイミングが解りにくくヘッドの重さにつられて、切返して手首がおれてしまう。その際フェ−スが開く方に折れやすい。
【課題を解決するための手段】
【０００８】  本願のパタ−グリップは、グリップエンドが外側に角度がついているため親指側の手首のラインが図３のようにシャフトと平行に近く伸び手首が固定されるので、テ−クバックをまっすぐ引きやすい。左手を下にした逆手グリッップと同じ効果が生まれ、ヘッドと手の動きが同調しやすい。又、グリップエンドの形状によって強く握りにくいので、ヘッドの重みを感しやすい。【０００９】  切返しからインパクトの間で起こるグリッププレッシャ−によるミスに関しては、たとえばインサイドに引いてしまったとき切返し後に引き戻そうとして左手の握りが強くなったときでも、グリップエンドが外側に角度があるため、フェ−スが開く傾向にあるので、目標に出す意識さえあれば相殺されて正しくインパクトされやすい。又、アウトサイドに引かれた場合はダウンスロ−が左手主導になり、肩の可動で打ちやすくスム−ズなストロ−クになる。従来のグリップではアウトサイドに引くのは一番良くないとされていたが、本願のグリップではアウトサイドに引く傾向にある人や逆手グリップの人は特にストロ−クしやすくなる。パッティングイップス病の人やショ−トパットの苦手な人、プレッシャ−の掛る場面でのショ−トパットの場合にテ−クバックを気にせず打てて結果が良くなるので不安が軽減されるためイップス病ゴルファ−の症状改善に役立つ。【００１０】  左手、左肘からくるミスパットに対しては、本願のグリップの場合、左手が固定され左脇が締まったセットアップになりやすいので、ストロ−ク中に左肘が曲がったり、左脇が開いたりしにくく肩の動きと同調しやすい。又、左脇が開いてもヘッドのトウ側が上がりやすいので、フェ−スが閉じて下りてくるので相殺されてミスパットになりにくい。【００１１】  ストロ−ク中の手首の角度の変化については、手首が固定されるので折れにくく、手のひらのグリップエンドの側面が接する部分が図３のように大きいのでヘッドの重みを受け止め易く、その結果ストロ−ク中のグリップの握る力を均一に保ち易く、より柔らかく握れるので切返しのタイミングもとりやすく、下りのラインや速いグリ−ンに対応しやすくなる。又、パンチが入りにくいのでミドル、ロングパットの距離感も合わせやすい。
【発明の実施するための最良の形態】
【００１２】  本願の実施の形態について図１から図２により説明する。ゴルフクラブであるパタ−用クラブ６はグリップ１とシャフト５とヘッド７とから構成されている。グリップ１はシャフト５に装着されている訳だが、従来のパタ−グリップはグリップエンドの角度が内側につけられていた。しかし本願のグリップはグリップエンド２のように外側に角度をつけた形状になっている。一見すると従来のグリップを前後反対に装着した形に見えるが、それではグリップの内側が平面になってしまうので、本願ではグリップの内側３は従来のグリップ同様に丸みをつけ、親指の接する外側４は平面にし手の中でしっくり握るために内側には丸みをつけて、親指は平面にするのが従来からも必然的であり、握るためにはグリップエンドの角度が内側であれ外側であれ、その方がいいので単なる従来のグリップを反対に装着するだけではその効果を十分に発揮できない。
【発明の効果】
【００１３】  以上のように本発明によれば、グリップエンドの角度を外側につけた形状によってパッティングストロ−クの基本であるパタ−ヘッドの振り子運動の動きを妨げず、ヘッドをまっすぐ引いてまっすぐ出しやすくなりストロ−ク中のグリッププレッシャ−を均一に保ち易く、手首の角度も変わりにくいのでパンチも入りにくいので方向性と距離感が良くなる。又、様々なミスパットに対して許容範囲が広くなるのでメンタル的に安定したストロ−クができるようになる。左手を下にして握る逆手グリップのメリットと順手グリップの右手の感覚を兼ねそろえたパッティングスタイルができるので、パッティング技術を向上させたいと思うゴルファ−にとっては、グリップを替えるだけで格段の上達ができる画期的なアイテムであり、初心者からプロゴルファ−まで全ての方に支持され、近い将来パタ−グリップのスタンダ−ドな形となると思われる。
【図面の簡単な説明】
【００１４】
【図１】本発明の実施形態を示すパタ−用グリップの斜視図である。
【図２】本発明の実施形態を示すグリップを装着したパタ−用クラブの斜視図である。
【図３】本発明のパタ−用グリップを握った状態を示す図である。
【図４】本発明のグリップの断面図である。
【符号の説明】
１  グリップ
２  グリップエンド
３  グリップ内側
４  グリップ外側
５  シャフト
６  パタ−用クラブ
７  ヘッド
【図１】
2006223817.tif 000003
【図２】
2006223817.tif 000004
【図３】
2006223817.tif 000005
【図４】
2006223817.tif 000006